(57)【要約】【課題】  ユーザが機能部を自由に選択、配置することができるカメラシステムを提供する。【解決手段】  カメラ本体１４には、複数の機能ユニットが装着可能となっており、例えば、レンズユニット１２、表示ユニット１６、電池ユニット３５０、操作ユニット３５２及びフラッシュユニット３５４が装着される。表示ユニット１６は、モニタ３６及び表示ユニット側接点１６ｃを備える。電池ユニット３５０は、グリップ１８、レリーズボタン２２、バッテリ２３６及び電池ユニット側接点３５０ｅを備える。操作部２０２（モードダイヤル２６、ズームボタン２８、十字ボタン３０、ＭＥＮＵ／ＯＫボタン３２、キャンセルボタン３４等）及び操作ユニット側接点３５２ｆを備える。フラッシュユニット３５４は、フラッシュ２０及びフラッシュユニット側接点３５４ｇを備える。【選択図】      図１０
2007310005.tif 000002
【特許請求の範囲】
【請求項１】
カメラ本体と、前記カメラ本体に着脱自在に装着されるレンズユニットと、前記カメラ本体に着脱自在に装着される少なくとも１つの機能ユニットとを備えるカメラシステムであって、
前記カメラ本体は、
前記レンズユニットを装着するための本体マウントと、
前記機能ユニットを装着するための、少なくとも１つの機能ユニット装着部と、
前記レンズユニットから画像を受信する画像受信手段とを備え、
前記レンズユニットは、
前記本体マウントと接続可能なレンズマウントと、
撮影レンズと、
前記撮影レンズを介して被写体像が結像される撮像素子と、
前記撮像素子から出力される画像を前記カメラ本体に送信する画像送信手段とを備え、
前記機能ユニットは、
前記機能ユニット装着部と接続可能な機能ユニットマウントを備えることを特徴とするカメラシステム。
【請求項２】
前記本体マウントと前記レンズマウント、及び、前記機能ユニット装着部と前記機能ユニットマウントは、
互いに通信するための通信接点部と、
互いの位置を固定するためのメカ的結合部と、
をそれぞれ備えることを特徴とする請求項１記載のカメラシステム。
【請求項３】
前記通信接点部は、前記本体マウントと前記レンズマウント、及び、前記機能ユニット装着部と前記機能ユニットマウントにそれぞれ設けられ、互いに当接して電気的に接続する電気的接点部であることを特徴とする請求項２記載のカメラシステム。
【請求項４】
前記通信接点部は、前記本体マウントと前記レンズマウント、及び、前記機能ユニット装着部と前記機能ユニットマウントにそれぞれ設けられ、通信内容に応じて接続相手側に光を発光する発光部と、接続相手側の発光部からの光を受光する受光部とを備える光学的接点部であることを特徴とする請求項２記載のカメラシステム。
【請求項５】
前記通信接点部は、前記本体マウントと前記レンズマウント、及び、前記機能ユニット装着部と前記機能ユニットマウントにそれぞれ設けられたアンテナであることを特徴とする請求項２記載のカメラシステム。
【請求項６】
前記通信接点部を保護するパンキングを更に備え、
前記カメラ本体、レンズユニット及び前記機能ユニットは、防水用であることを特徴とする請求項２から５のいずれか１項記載のカメラシステム。
【請求項７】
前記メカ的結合部は、前記本体マウントと前記レンズマウント、及び、前記機能ユニット装着部と前記機能ユニットマウントにそれぞれ形成され、互いに嵌め込み可能な嵌合部であることを特徴とする請求項２から６のいずれか１項記載のカメラシステム。
【請求項８】
前記メカ的結合部は、固定ネジと、前記固定ネジにより固定するネジ穴であることを特徴とする請求項２から７のいずれか１項記載のカメラシステム。
【請求項９】
前記機能ユニットは、前記撮像素子から出力される画像を表示するための表示手段を備える表示ユニットであることを特徴とする請求項１から８のいずれか１項記載のカメラシステム。
【請求項１０】
前記表示手段は、ユーザが操作入力を行うためのタッチパネルを備えることを特徴とする請求項９記載のカメラシステム。
【請求項１１】
前記機能ユニットは、前記カメラシステムを把持するためのグリップ部であることを特徴とする請求項１から１０のいずれか１項記載のカメラシステム。
【請求項１２】
前記グリップ部は、静止画撮影用と、動画撮影用とで交換可能であることを特徴とする請求項１１記載のカメラシステム。
【請求項１３】
前記グリップ部は、ユーザが操作入力を行うための操作入力手段を更に備えることを特徴とする請求項１１又は１２記載のカメラシステム。
【請求項１４】
前記操作入力手段は、撮像指示を入力するためのレリーズボタンであることを特徴とする請求項１３記載のカメラシステム。
【請求項１５】
前記グリップ部は、前記カメラシステムの駆動電源を更に備えることを特徴とする請求項９から１４のいずれか１項記載のカメラシステム。
【請求項１６】
前記グリップ部は、前記カメラシステムを三脚に取り付けるための三脚取付部材を更に備えることを特徴とする請求項９から１５のいずれか１項記載のカメラシステム。
【請求項１７】
前記機能ユニットは、前記カメラシステムを三脚に取り付けるための三脚取付部材であることを特徴とする請求項１から１５のいずれか１項記載のカメラシステム。
【請求項１８】
前記三脚取付部材は、前記カメラ本体及びレンズユニットが搭載された際の重心位置に形成された三脚取付用のネジ穴を備えることを特徴とする請求項１６又は１７記載のカメラシステム。
【請求項１９】
前記機能ユニットは、前記カメラシステムの駆動電源を備える電池ユニットであることを特徴とする請求項１から１８のいずれか１項記載のカメラシステム。
【請求項２０】
前記機能ユニットは、フラッシュユニットであることを特徴とする請求項１から１９のいずれか１項記載のカメラシステム。
【請求項２１】
前記機能ユニットは、前記撮像素子から出力される画像を記録する記録手段を備える記録ユニットであることを特徴とする請求項１から２０のいずれか１項記載のカメラシステム。
【請求項２２】
前記記録手段は、前記記録ユニットに内蔵された内蔵メモリであり、メモリ容量に応じて交換可能であることを特徴とする請求項２１記載のカメラシステム。
【請求項２３】
前記記録手段は、前記画像を記録するための記録メディアを着脱可能なメディアスロットを備えることを特徴とする請求項２１記載のカメラシステム。
【請求項２４】
前記記録手段は、複数種類の記録メディアに対応したメディアスロットを備えることを特徴とする請求項２３記載のカメラシステム。
【請求項２５】
前記機能ユニットは、外部機器と接続するための外部接続ユニットであることを特徴とする請求項１から２４のいずれか１項記載のカメラシステム。
【請求項２６】
前記外部接続ユニットは、前記外部機器に接続される接続端子が先端に設けられた接続コードと、前記接続コードを外部接続ユニット内に巻き取るコード巻き取り手段とを備えることを特徴とする請求項２５記載のカメラシステム。
【請求項２７】
前記機能ユニットは、ユーザが操作入力を行うための操作入力手段を備える操作ユニットであることを特徴とする請求項１から２６のいずれか１項記載のカメラシステム。
【発明の詳細な説明】
【技術分野】
【０００１】
本発明はカメラシステムに係り、特にカメラ本体と、これに着脱自在に装着されるレンズユニットを備えるカメラシステムに関する。
【背景技術】
【０００２】
従来、撮影レンズと光学ファインダとが一体的に組み込まれている交換レンズユニットと、交換レンズユニットの装着時に光学ファインダが配置されるファインダ貫通部分に相当する切欠部が設けられたカメラ本体から構成されるレンズ交換式カメラが提案されている（特許文献１）。また、特許文献２には、カメラ本体からの画像信号に基づいて画像を表示するモニタ本体と、モニタ取付部とからなるモニタ装置を取付可能なモニタ装置付きカメラについて開示されている。
【特許文献１】特開２０００−１８７２６８号公報
【特許文献２】特開平１１−３３８０３４号公報
【発明の開示】
【発明が解決しようとする課題】
【０００３】
上記特許文献１では、撮影レンズが交換可能であるが、カメラ本体は、各機能部が組み立てられた完成品で提供されており、ユーザが自らの好みに合わせて機能部の配置をデザインしたり、ユーザの使用目的や方法に応じて機能部の選択、配置の変更を行うことができなかった。また、特許文献２のカメラは、モニタ装置が取付可能であるが、モニタ装置は、背面に沿って配置されるようになっており、ユーザが自由に配置できるものではなかった。
【０００４】
本発明はこのような事情に鑑みてなされたもので、ユーザが機能部を自由に選択、配置することができるカメラシステムを提供することを目的とする。
【課題を解決するための手段】
【０００５】
上記課題を解決するために、本発明の請求項１に係るカメラシステムは、カメラ本体と、前記カメラ本体に着脱自在に装着されるレンズユニットと、前記カメラ本体に着脱自在に装着される少なくとも１つの機能ユニットとを備えるカメラシステムであって、前記カメラ本体は、前記レンズユニットを装着するための本体マウントと、前記機能ユニットを装着するための、少なくとも１つの機能ユニット装着部と、前記レンズユニットから画像を受信する画像受信手段とを備え、前記レンズユニットは、前記本体マウントと接続可能なレンズマウントと、撮影レンズと、前記撮影レンズを介して被写体像が結像される撮像素子と、前記撮像素子から出力される画像を前記カメラ本体に送信する画像送信手段とを備え、前記機能ユニットは、前記機能ユニット装着部と接続可能な機能ユニットマウントを備えることを特徴とする。
【０００６】
請求項１に係る発明によれば、ユーザがカメラ本体に装着する機能ユニットを自由に選択することができる。また、カメラ本体に機能ユニット装着部を複数設けておくことにより、例えば、撮影時の姿勢やユーザの利き腕等に応じて機能ユニットの配置を自在に変更することができる。
【０００７】
請求項２に係る発明は、請求項１のカメラシステムにおいて、前記本体マウントと前記レンズマウント、及び、前記機能ユニット装着部と前記機能ユニットマウントは、互いに通信するための通信接点部と、互いの位置を固定するためのメカ的結合部とをそれぞれ備えることを特徴とする。
【０００８】
請求項２に係る発明によれば、メカ的接合部を用いてカメラ本体と機能ユニット等の位置を固定することにより、通信接点部が確実に接続されるようにすることができる。
【０００９】
請求項３に係る発明は、請求項２のカメラシステムにおいて、前記通信接点部は、前記本体マウントと前記レンズマウント、及び、前記機能ユニット装着部と前記機能ユニットマウントにそれぞれ設けられ、互いに当接して電気的に接続する電気的接点部であることを特徴とする。
【００１０】
また、請求項４に係る発明は、請求項２のカメラシステムにおいて、前記通信接点部は、前記本体マウントと前記レンズマウント、及び、前記機能ユニット装着部と前記機能ユニットマウントにそれぞれ設けられ、通信内容に応じて接続相手側に光を発光する発光部と、接続相手側の発光部からの光を受光する受光部とを備える光学的接点部であることを特徴とする。
【００１１】
請求項４に係る発明によれば、光を用いた無線通信手段を用いることにより、電気的な接点を用いることなく、カメラ本体と機能ユニットを通信可能に接続することができる。
【００１２】
請求項５に係る発明は、請求項２のカメラシステムにおいて、前記通信接点部は、前記本体マウントと前記レンズマウント、及び、前記機能ユニット装着部と前記機能ユニットマウントにそれぞれ設けられたアンテナであることを特徴とする。
【００１３】
請求項５に係る発明によれば、無線通信手段を用いることにより、電気的な接点を用いることなく、カメラ本体と機能ユニットを通信可能に接続することができる。
【００１４】
請求項６に係る発明は、請求項２から５のカメラシステムにおいて、前記通信接点部を保護するパンキングを更に備え、前記カメラ本体、レンズユニット及び前記機能ユニットは、防水用であることを特徴とする。
【００１５】
請求項６に係る発明によれば、防水効果を有するカメラシステムを実現することができる。また、通信接点部を保護することにより、通信接点部を構成する電気的接点部又はアンテナの水濡れや、光学的接点部へのゴミの付着による通信障害を防止することができる。
【００１６】
請求項７に係る発明は、請求項２から６のカメラシステムにおいて、前記メカ的結合部は、前記本体マウントと前記レンズマウント、及び、前記機能ユニット装着部と前記機能ユニットマウントにそれぞれ形成され、互いに嵌め込み可能な嵌合部であることを特徴とする。また、請求項８に係る発明は、請求項２から７のカメラシステムにおいて、前記メカ的結合部は、固定ネジと、前記固定ネジにより固定するネジ穴であることを特徴とする。
【００１７】
請求項８に係る発明によれば、メカ的接合部を用いてカメラ本体と機能ユニット等の位置を確実に固定することができる。
【００１８】
請求項９に係る発明は、請求項１から８のカメラシステムにおいて、前記機能ユニットは、前記撮像素子から出力される画像を表示するための表示手段を備える表示ユニットであることを特徴とする。
【００１９】
請求項９に係る発明によれば、ユーザが画像の表示に用いる表示手段の種類を自由に選択することができる。また、カメラ本体に機能ユニット装着部を複数設けておくことにより、例えば、撮影時の姿勢やユーザの利き腕等に応じて表示手段の配置を自在に変更することができる。
【００２０】
請求項１０に係る発明は、請求項１から９のカメラシステムにおいて、前記表示手段は、ユーザが操作入力を行うためのタッチパネルを備えることを特徴とする。
【００２１】
請求項１０に係る発明によれば、タッチパネルを備えることにより、表示手段と操作入力手段を兼用することができる。
【００２２】
請求項１１に係る発明は、請求項１から１０のカメラシステムにおいて、前記機能ユニットは、前記カメラシステムを把持するためのグリップ部であることを特徴とする。また、請求項１２に係る発明は、請求項１１のカメラシステムにおいて、前記グリップ部は、静止画撮影用と、動画撮影用とで交換可能であることを特徴とする。
【００２３】
請求項１１及び１２に係る発明によれば、ユーザがグリップ部の種類（静止画撮影用、動画撮影用）を自由に選択することができる。また、カメラ本体に機能ユニット装着部を複数設けておくことにより、例えば、撮影時の姿勢やユーザの利き腕等に応じてグリップ部の配置を自在に変更することができる。
【００２４】
請求項１３に係る発明は、請求項１１又は１２のカメラシステムにおいて、前記グリップ部は、ユーザが操作入力を行うための操作入力手段を更に備えることを特徴とする。また、請求項１４に係る発明は、請求項１３のカメラシステムにおいて、前記操作入力手段は、撮像指示を入力するためのレリーズボタンであることを特徴とする。
【００２５】
請求項１３及び１４に係る発明によれば、ユーザが把持するグリップ部の近くにレリーズボタン等の操作入力手段が配置されるので、操作入力が容易になる。
【００２６】
請求項１５に係る発明は、請求項９から１４のカメラシステムにおいて、前記グリップ部は、前記カメラシステムの駆動電源を更に備えることを特徴とする。
【００２７】
請求項１５に係る発明によれば、グリップ部に駆動電源（バッテリ）内蔵することができる。
【００２８】
請求項１６に係る発明は、請求項９から１５のカメラシステムにおいて、前記グリップ部は、前記カメラシステムを三脚に取り付けるための三脚取付部材を更に備えることを特徴とする。また、請求項１７に係る発明は、請求項１から１５のカメラシステムにおいて、前記機能ユニットは、前記カメラシステムを三脚に取り付けるための三脚取付部材であることを特徴とする。また、請求項１８に係る発明は、請求項１６又は１７のカメラシステムにおいて、前記三脚取付部材は、前記カメラ本体及びレンズユニットが搭載された際の重心位置に形成された三脚取付用のネジ穴を備えることを特徴とする。
【００２９】
請求項１６から１８に係る発明によれば、カメラシステムを三脚に安定的に取り付けることができる。
【００３０】
請求項１９に係る発明は、請求項１から１８のカメラシステムにおいて、前記機能ユニットは、前記カメラシステムの駆動電源を備える電池ユニットであることを特徴とする。
【００３１】
請求項１９に係る発明によれば、電池ユニットを交換することにより、ユーザが使用する駆動電源（バッテリ）の種類を選択することができる。
【００３２】
請求項２０に係る発明は、請求項１から１９のカメラシステムにおいて、前記機能ユニットは、フラッシュユニットであることを特徴とする。
【００３３】
請求項２０に係る発明によれば、撮影に使用するフラッシュの種類を変更できる。
【００３４】
請求項２１に係る発明は、請求項１から２０のカメラシステムにおいて、前記機能ユニットは、前記撮像素子から出力される画像を記録する記録手段を備える記録ユニットであることを特徴とする。また、請求項２２に係る発明は、請求項２１のカメラシステムにおいて、前記記録手段は、前記記録ユニットに内蔵された内蔵メモリであり、メモリ容量に応じて交換可能であることを特徴とする。
【００３５】
請求項２２に係る発明によれば、例えば、記録手段が一杯になった場合に記録ユニットを交換することができる。
【００３６】
請求項２３に係る発明は、請求項２１のカメラシステムにおいて、前記記録手段は、前記画像を記録するための記録メディアを着脱可能なメディアスロットを備えることを特徴とする。また、請求項２４に係る発明は、請求項２３のカメラシステムにおいて、前記記録手段は、複数種類の記録メディアに対応したメディアスロットを備えることを特徴とする。
【００３７】
請求項２４に係る発明によれば、複数種類の記録メディアに対応したカメラシステムを実現することができる。
【００３８】
請求項２５に係る発明は、請求項１から２４のカメラシステムにおいて、前記機能ユニットは、外部機器と接続するための外部接続ユニットであることを特徴とする。また、請求項２６に係る発明は、請求項２５のカメラシステムにおいて、前記外部接続ユニットは、前記外部機器に接続される接続端子が先端に設けられた接続コードと、前記接続コードを外部接続ユニット内に巻き取るコード巻き取り手段とを備えることを特徴とする。
【００３９】
請求項２６に係る発明によれば、ユーザが外部機器との接続に用いる接続端子を自由に選択することができる。
【００４０】
請求項２７に係る発明は、請求項１から２６のカメラシステムにおいて、前記機能ユニットは、ユーザが操作入力を行うための操作入力手段を備える操作ユニットであることを特徴とする。
【００４１】
請求項２７に係る発明によれば、ユーザが操作入力手段の種類を自由に選択することができる。また、カメラ本体に機能ユニット装着部を複数設けておくことにより、例えば、撮影時の姿勢やユーザの利き腕等に応じて操作入力手段の配置を自在に変更することができる。
【発明の効果】
【００４２】
本発明によれば、ユーザがカメラ本体に装着する機能ユニットを自由に選択することができる。また、カメラ本体に機能ユニット装着部を複数設けておくことにより、例えば、撮影時の姿勢やユーザの利き腕等に応じて機能ユニットの配置を自在に変更することができる。
【発明を実施するための最良の形態】
【００４３】
以下、添付図面に従って本発明に係るカメラシステムの好ましい実施の形態について説明する。
【００４４】
［カメラシステムの第１の実施形態］
図１は本発明の第１の実施形態に係るカメラシステムの正面の外観を示す斜視図であり、図２はその背面の外観を示す斜視図である。図１及び図２に示すように、本実施形態のカメラシステム１０は、レンズユニット１２、カメラ本体１４及び表示ユニット１６を備える。
【００４５】
図１に示すように、レンズユニット１２は、円筒状に形成されており、その基端部にレンズマウント１２Ａを備えている。一方、カメラ本体１４は、箱状に形成されており、その正面ほぼ中央に本体マウント１４Ａを備えている。レンズユニット１２は、レンズマウント１２Ａをカメラ本体１４の本体マウント１４Ａに装着することにより、カメラ本体１４に着脱自在に取り付けられる。
【００４６】
レンズマウント１２Ａと本体マウント１４Ａには、それぞれレンズマウント接点１２ａと本体マウント接点１４ａが設けられており（本体マウント接点１４ａのみ図示）、レンズマウント１２Ａを本体マウント１４Ａに装着すると、互いの接点が接触して導通する。レンズマウント接点１２ａと本体マウント接点１４ａは、レンズユニット１２の周方向に複数設けられており、レンズユニット１２が回転された場合にも導通状態が維持可能になっている。なお、レンズマウント接点１２ａと本体マウント接点１４ａは、円周形状としてもよい。また、レンズユニット１２とカメラ本体１４は、フレキシブル基板やワイヤハーネスにより接続してもよい。また、図１に示すように、レンズユニット１２とカメラ本体１４は、無線通信用のアンテナ１２ｂ及び１４ｂをそれぞれ備えている。
【００４７】
また、図１に示すように、表示ユニット１６は、箱状に形成されており、その４隅にユニット側接合部１６ｄを備えている。一方、図２に示すように、カメラ本体１４の背面には、本体側接合部１４ｄが形成されている。表示ユニット１６は、ユニット側接合部１６ｄをカメラ本体１４の本体側接合部１４ｄに接合することにより、カメラ本体１４に着脱自在に取り付けられる。更に、図２に示すように、カメラ本体１４には、表示ユニット１６等の機能ユニットを接続するためのユニット接続用接点１４ｃが設けられている。一方、表示ユニット１６には、表示ユニット側接点１６ｃが設けられている。表示ユニット１６をカメラ本体１４に取り付けると、互いの接点が接触して導通する。なお、各接合部１６ｄ、１４ｄ、各接点１６ｃ、１４ｃの構成については後述する。
【００４８】
レンズユニット１２は、手ブレ補正機能を備えたズームレンズで構成されており、後述するように、撮像素子を内蔵している。また、図２に示すように、表示ユニット１６は、モニタ（ＬＣＤモニタ）３６を備えている。
【００４９】
図１に示すように、カメラ本体１４の正面には、グリップ部１８、フラッシュ２０等が設けられており、上面には、レリーズボタン２２、電源スイッチ２４、モードダイヤル２６等が設けられている。また、図２に示すように、カメラ本体１４の背面には、ズームボタン２８、十字ボタン３０、ＭＥＮＵ／ＯＫボタン３２、キャンセルボタン３４等が設けられている。また、図示しないカメラ本体１４の底面には、バッテリカバーが設けられており、このバッテリカバーを開くと、バッテリを装着するためのバッテリ収納室と、メモリカードを装着するためのメモリカードスロットが設けられている。
【００５０】
レリーズボタン２２は、撮影指示を入力するボタンとして機能し、いわゆる「半押し」と「全押し」の２段式で構成されている。カメラシステム１０は、このレリーズボタン２２の半押しでＡＥ（Automatic Exposure：自動露出）、ＡＦ（Auto Focus：自動焦点合わせ）が機能し、全押しで撮影が実行される。
【００５１】
電源スイッチ２４は、スライド式のスイッチで構成されており、この電源スイッチ２４のスライド操作でカメラシステム１０の電源がＯＮ／ＯＦＦされる。
【００５２】
モードダイヤル２６は、回転式のダイヤルで構成されており、カメラシステム１０のモードを切り換える手段として機能する。カメラシステム１０は、このモードダイヤル２６を回転操作することにより、「撮影モード」と「再生モード」に切り換えられる。
【００５３】
モニタ３６は、カラーＬＣＤで構成されている。このモニタ３６は、再生モード時に撮影済み画像の再生に使用されるとともに、撮影モード時にスルー画像が表示されて電子ファインダとして使用される。また、各種設定操作時にメニュー画面が表示されて、ユーザが各種設定操作を行うためのユーザインターフェイスとしても使用される。
【００５４】
ズームボタン２８は、撮影時にズームを指示するボタンとして機能し、テレ方向のズームを指示するズームテレボタン２８Ｔと、ワイド方向のズームを指示するズームワイドボタン２８Ｗとで構成されている。なお、再生時には、画像の拡大／縮小を指示するボタンとして機能し、ズームテレボタン２８Ｔで画像が拡大され、ズームワイドボタン２８Ｗで画像が縮小される。
【００５５】
十字ボタン３０は、上下左右四方向に押下可能に構成されており、カメラシステム１０の状況に応じた機能が割り当てられる。例えば、撮影モード時には、右ボタンがマクロモードの切り換えを指示するマクロボタンとして機能し、左ボタンがフラッシュモードの切り換えを指示するフラッシュボタンとして機能する。また、再生モード時には、右ボタンが画像のコマ送りを指示するボタンとして機能し、左ボタンが画像のコマ戻しを指示するコマ戻しボタンとして機能する。また、モニタ３６を利用した各種設定時には、モニタ３６に表示されるカーソルの移動を指示するボタンとして機能する。
【００５６】
ＭＥＮＵ／ＯＫボタン３２は、モニタ３６へのメニュー画面の表示を指示するボタンとして機能するとともに、各種操作の実行を指示するボタンとして機能し、キャンセルボタン３４は、各種操作のキャンセルを指示するボタンとして機能する。
【００５７】
図３は、カメラシステム１０の電気的構成を示すブロック図である。図３に示すように、レンズユニット１２は、撮影光学系１００、撮影光学系駆動部１０２、撮影光学系制御部１０４、手ブレ検出用角加速度センサ１０６、撮像素子（ＣＣＤ）１０８、アナログ信号処理部１１０、Ａ／Ｄ変換器１１２、デジタル信号処理部１１４、積算回路１１６、タイミングジェネレータ（ＴＧ）１１８、圧縮／伸張処理部１２０、カードインターフェイス（カードＩ／Ｆ）１２２、メモリカードスロット１２４、レンズＣＰＵ１２６、ＲＯＭ、ＲＡＭからなるレンズシステムメモリ１２８、レンズ不揮発性メモリ１３０、無線通信インターフェース部（無線Ｉ／Ｆ）１３２、本体側アンテナ１２ｂ、ＵＡＲＴ（低速シリアルドライバ）１３４、高速シリアルドライバ１３６、バッテリ１３８、電源制御部１４０、ＤＣ／ＤＣ変換器１４２及びレンズマウント接点１２ａを備える。
【００５８】
一方、カメラ本体１４は、本体ＣＰＵ２００、操作部２０２（モードダイヤル２６、ズームボタン２８、十字ボタン３０、ＭＥＮＵ／ＯＫボタン３２、キャンセルボタン３４等）、操作Ｉ／Ｏ２０４、レリーズボタン２２、ＲＡＭ（ワークメモリ）２０６、本体フラッシュＲＯＭ２０８、ＲＯＭ（本体システムメモリ）２１０、タイマ２１２、カレンダ時計２１４、圧縮／伸張処理部２１６、カードインターフェイス（カードＩ／Ｆ）２１８、メモリカードスロット２２０、無線通信インターフェース部（無線Ｉ／Ｆ）２２２、本体側アンテナ（ＡＮＴ）１４ｂ、ＵＡＲＴ（低速シリアルドライバ）２２４、高速シリアルドライバ２２６、ＲＡＭ（データメモリ）２２８、オンスクリーン機能部（ＯＳＤ部）２３０、ＬＣＤ制御部２３２、フラッシュ制御部２３４、フラッシュ２０、バッテリ２３６、電源制御部２３８、ＤＣ／ＤＣ変換器２４０、電源スイッチ（電源ＳＷ）２４、マイク２４２、サンプリング部２４４、ＵＳＢコネクタ２４６、ＵＳＢドライバ２４８、レンズ検出用Ｉ／Ｏ２５０、本体マウント接点１４ａ及びユニット接続用接点１４ｃを備える。
【００５９】
カメラシステム１０全体の動作は、本体ＣＰＵ２００によって統括制御される。本体ＣＰＵ２００は、操作部２０２等からの入力に基づき所定の制御プログラムに従ってカメラシステム１０の各部を制御する。操作Ｉ／Ｏ２０４は、操作部２０２からの入力を本体ＣＰＵ２００に伝達する。ＲＯＭ（本体システムメモリ）２１０には、本体ＣＰＵ２００が実行する制御プログラムや制御に必要な各種データが記録されている。本体ＣＰＵ２００は、このＲＯＭ２０８に格納された制御プログラムに従い、ワークメモリ２０６を作業領域としながらカメラシステム１０の各部を制御する。
【００６０】
また、本体ＣＰＵ２００は、レンズ検出用Ｉ／Ｏ２５０を介して、レンズユニット１２が装着されたことを検出可能となっている。レンズユニット１２が装着されていない場合、レンズ検出用Ｉ／Ｏ２５０は、プルアップ抵抗を介して、Ｈｉｇｈレベルの信号が入力される。カメラ本体１４にレンズユニット１２が装着されると、プルアップ抵抗がレンズマウント接点１２ａに設けられたグラウンド端子に接続され、レンズ検出用Ｉ／Ｏ２５０を介して本体ＣＰＵ２００に入力される信号がＬｏｗになる。本体ＣＰＵ２００は、入力信号のＨｉｇｈからＬｏｗへの変化を検出して、レンズユニット１２が装着されたことを検出する。
【００６１】
レンズＣＰＵ１２６は、本体ＣＰＵ２００からの指令に従いレンズユニット１２の動作を統括制御する。レンズシステムメモリ１２８のＲＯＭには、このレンズＣＰＵ１２６が実行する制御プログラムや制御に必要な各種データが記録されている。レンズＣＰＵ１２６は、このレンズシステムメモリ１２８のＲＯＭに格納された制御プログラムに従い、レンズシステムメモリ１２８のＲＡＭを作業領域としながらレンズユニット１２の各部を制御する。
【００６２】
撮影光学系１００は、手ブレ補正機能を備えたズームレンズで構成されており、フォーカスレンズ、ズームレンズ、手ブレ補正レンズ、メカシャッタ、絞り等を備えている。撮影光学系駆動部１０２は、この撮影光学系１００のフォーカスレンズ、ズームレンズ、手ブレ補正レンズ、メカシャッタ、絞り等の駆動部を構成し、撮影光学系制御部１０４は、レンズＣＰＵ１２６を介して入力される指令に応じて撮影光学系駆動部１０２の駆動を制御する。
【００６３】
手ブレ検出用角加速度センサ１０６は、手ブレ補正を行うために、カメラシステム１０に生じている動きを検出し、レンズＣＰＵ１２６に出力する。レンズＣＰＵ１２６は、この手ブレ検出用角加速度センサ１０６の出力に基づいて手ブレ補正レンズの動作量を演算し、手ブレを相殺するように手ブレ補正レンズを動作させる。
【００６４】
撮像素子１０８は、例えば、原色カラーＣＣＤで構成されており、撮影光学系１００によって、その受光面に結像された被写体の光学像を電気信号に変換する。なお、撮像素子１０８は、ＣＭＯＳ等の他のフォトセンサで構成されていてもよい。
【００６５】
アナログ信号処理部１１０は、サンプリングホールド回路、色分離回路、ゲイン調整回路等を含み、撮像素子１０８から出力された画像信号に対して相関二重サンプリング（ＣＤＳ）処理、色分離処理、プリホワイトバランス処理等の所要のアナログ信号処理を施す。
【００６６】
Ａ／Ｄ変換器１１２は、アナログ信号処理部１１０から出力されたアナログの画像信号をデジタルの画像信号に変換して出力する。このデジタルの画像信号は、レンズシステムメモリ１２８のＲＡＭに一旦格納されてデジタル信号処理部１１４に加えられる。
【００６７】
デジタル信号処理部１１４は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、入力された画像信号に所要の信号処理を施して、輝度信号（Ｙ信号）と色差信号（Ｃｒ、Ｃｂ信号）とからなるＹＵＶ信号を生成する。圧縮／伸張処理部１２０は、このＹＵＶ信号に圧縮処理を施して、圧縮画像データを生成するとともに、圧縮画像データに伸張処理を施してＹＵＶ信号を生成する。
【００６８】
積算回路１１６は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１２６は、この積算回路１１６から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１２６は、この焦点評価値が極大となる位置にフォーカスレンズを移動させる（いわゆるコントラストＡＦ）。
【００６９】
タイミングジェネレータ（ＴＧ）１１８は、撮像素子１０８、アナログ信号処理部１１０、Ａ／Ｄ変換器１１２、デジタル信号処理部１１４、積算回路１１６にタイミング信号を与える。上記各部は、このＴＧ１１８から与えられるタイミング信号によって同期がとられている。
【００７０】
ＵＡＲＴ１３４は、レンズＣＰＵ１２６の制御の下、レンズマウント接点１２ａ及び本体マウント接点１４ａを介して接続されたカメラ本体側のＵＡＲＴ２２４との間で制御信号（コマンド信号）の送受信を行う。一方、本体側のＵＡＲＴ２２４は、本体ＣＰＵ２００の制御の下、レンズマウント接点１２ａ及び本体マウント接点１４ａを介して接続されたレンズユニット側のＵＡＲＴ１３４との間で制御信号（コマンド信号）の送受信を行う。
【００７１】
高速シリアルドライバ１３６は、レンズＣＰＵ１２６の制御の下、レンズマウント接点１２ａ及び本体マウント接点１４ａを介して接続されたカメラ本体側の高速シリアルドライバ２２６との間で画像ファイルの送信を行う。一方、本体側の高速シリアルドライバ２２６は、本体ＣＰＵ２００の制御の下、レンズマウント接点１２ａ及び本体マウント接点１４ａを介して接続されたレンズユニット側の高速シリアルドライバ１３６との間で画像ファイルの受信を行う。
【００７２】
電源制御部１４０は、レンズＣＰＵ１２６の制御の下、ＤＣ／ＤＣ変換器１４２を制御して、バッテリ１３８から供給される電力をレンズユニット１２の各部に供給する。また、バッテリ１３８の残量が不足した場合には、電源制御部１４０は、レンズＣＰＵ１２６の制御の下、ＤＣ／ＤＣ変換器１４２を制御して、レンズマウント接点１２ａ及び本体マウント接点１４ａを介してカメラ本体１４のＤＣ／ＤＣ変換器２４０から供給される電力をレンズユニット１２の各部に供給する。なお、バッテリ１３８の残量が不足した場合には、カメラ本体１４から供給される電力でバッテリ１３８を充電するようにしてもよい。
【００７３】
モニタ３６にスルー画像を表示させる場合には、デジタル信号処理部１１４で連続的に生成されたＹＵＶ信号が、高速シリアルドライバ１３６及び２２６を介してＲＡＭ（データメモリ）２２８に順次加えられる（ＤＭＡ：ダイレクト・メモリ・アクセス）。ＬＣＤ制御部２３２は、このＲＡＭ（データメモリ）２２８に加えられたＹＵＶ信号を表示用の信号形式に変換して、ユニット接続用接点１４ｃ及び表示ユニット側接点１６ｃを介して表示ユニット１６のモニタ３６に順次出力する。本体ＣＰＵ２００は、接続されている表示ユニット１６の種類を判別し、モニタ３６のサイズや解像度等の情報に基づいて、ＬＣＤ制御部２３２を制御して表示用の画像信号を調整する。これにより、モニタ３６にスルー画像が表示され、モニタ３６をファインダとして使用しながらの撮影が可能になる。なお、ＬＣＤ制御部２３２は、表示ユニット１６側に設けられていてもよい。
【００７４】
オンスクリーン機能部（ＯＳＤ部）２３０は、キャラクタジェネレータを含み、本体ＣＰＵ２００の制御の下、モニタ３６に表示するための文字、記号等をＬＣＤ制御部２３２に出力する。ＬＣＤ制御部２３２は、このＯＳＤ部２３０から出力された文字等を画像に重ねてモニタ３６に出力する。
【００７５】
画像を撮影、記録する場合には、カメラ本体１４のレリーズボタン２２の半押しにより、レンズＣＰＵ１２６によりＡＥ／ＡＦ制御が行われ、全押しで撮影が実行される。撮影により取り込まれたＹＵＶ信号は、デジタル信号処理部１１４において所定の圧縮フォーマット（例えば、ＪＰＥＧ形式）で圧縮される。圧縮された画像データは、撮影日時や撮影条件（絞り値、シャッタースピード、感度等）等の所要の付属情報が付加された画像ファイルとされた後、カードＩ／Ｆ１２２を介してメモリカードスロット１２４に装着されたメモリカード１２４Ａに格納される。この際、画像ファイルは、所定の規則に従ってメモリカード１２４Ａの記憶領域に格納される。なお、上記画像ファイルは、カメラ本体１４側のカードＩ／Ｆ２１８を介してメモリカードスロット２２０に装着されたメモリカード２２０Ａにも格納可能である。
【００７６】
タイマ２１２は、本体ＣＰＵ２００からの指令に基づいて時間を計測し、カレンダ時計２１４は、本体ＣＰＵ２００からの指令に基づいて現在の年月日及び時刻を計測する。
【００７７】
フラッシュ制御部２３４は、本体ＣＰＵ２００の制御の下、フラッシュ２０の発光を制御する。
【００７８】
マイク２４２は、音声を入力するための装置である。マイク２４２から入力された音声は、サンプリング部２４４において所定のサンプリングレートでサンプリングされて、所定のファイル形式（例えば、ＷＡＶ形式）に変換されてメモリカード２２０Ａに格納される。
【００７９】
ＵＳＢコネクタ２４６は、外部機器（例えば、パーソナルコンピュータ（ＰＣ）やストレージデバイス等）と接続するための端子である。ＵＳＢドライバ２４８は、ＵＳＢコネクタ２４６を介して接続された外部機器を動作させるためのソフトウェアである。
【００８０】
電源制御部２３８は、本体ＣＰＵ２００の制御の下、ＤＣ／ＤＣ変換器２４０を制御し、バッテリ２３６から供給される電力をカメラ本体１４の各部及びレンズユニット１２に供給する。また、バッテリ２３６の残量が不足した場合には、電源制御部２３８は、本体ＣＰＵ２００の制御の下、ＤＣ／ＤＣ変換器２４０を制御して、本体マウント接点１４ａ及びレンズマウント接点１２ａを介してレンズユニット１２のＤＣ／ＤＣ変換器１４２から供給される電力をカメラ本体１４の各部に供給する。なお、バッテリ２３６の残量が不足した場合には、レンズユニット１２から供給される電力でバッテリ２３６を充電するようにしてもよい。
【００８１】
［接合部及び接点の構成］
次に、接合部（１４ｄ、１６ｄ）及び接点（１４ｃ、１６ｃ）の構成について説明する。図４は接合部（１４ｄ、１６ｄ）及び接点（１４ｃ、１６ｃ）の構成を示す斜視図であり、図５はその５−５断面図である。なお、図４では、表示ユニット１６の表示ユニット側接点１６ｃ以外の部分は省略されている。
【００８２】
図４に示すように、表示ユニット１６の表示ユニット側接点１６ｃは、凸状に形成されている。図５に示すように、表示ユニット側接点１６ｃの凸状部の表面には、電極３００が取り付けられている。この電極３００は、図４に示すように、凸状部の後方に露出しており、表示ユニット１６のモニタ３６の制御回路が配置された表示ユニット側基板１６Ｐに接続される。一方、カメラ本体１４のユニット接続用接点１４ｃは、凹状に形成されており、その内側の面には電極３０２が取り付けられている。この電極３０２は、カメラ本体１４の各種回路が配置された本体側基板１４Ｐに接続されている。表示ユニット側接点１６ｃがユニット接続用接点１４ｃに嵌め込まれると、電極３００と電極３０２が導通し、表示ユニット側基板１６Ｐと本体側基板１４Ｐとが電気的に接続される。
【００８３】
また、図５に示すように、表示ユニット１６のユニット側接合部１６ｄには、ネジ穴３０４が形成されており、ネジ穴３０４には固定ネジ３０６が取り付けられている。一方、カメラ本体１４の本体側接合部１４ｄには、表示ユニット１６側のネジ穴３０４に対応する位置に、ネジ穴３０８が形成されている。表示ユニット１６は、固定ネジ３０６によりカメラ本体１４に固定される。
【００８４】
本実施形態によれば、ユーザが画像の表示に用いるモニタの種類を自由に選択することができる。また、カメラ本体１４にユニット接続用接点１４ｃを複数設けておくことにより、例えば、撮影時の姿勢やユーザの利き腕等に応じてモニタの配置を自在に変更することができる。更に、本実施形態によれば、ユニット接続用接点１４ｃと表示ユニット側接点１６ｃを嵌め合わせるだけで、表示ユニットの着脱を容易に行うことができる。
【００８５】
［接合部及び接点の第２の実施例］
次に、接合部（１４ｄ、１６ｄ）及び接点（１４ｃ、１６ｃ）の第２の実施例について説明する。図６は接合部（１４ｄ、１６ｄ）及び接点（１４ｃ、１６ｃ）の第２の実施例を示す斜視図であり、図７はその７−７断面図である。なお、図６では、表示ユニット１６の表示ユニット側接点１６ｃ以外の部分は省略されている。
【００８６】
図６に示すように、表示ユニット１６の表示ユニット側接点１６ｃは、受光部１６ｃ−１及び発光部１６ｃ−２を備えており、カメラ本体１４のユニット接続用接点１４ｃは、発光部１４ｃ−１及び受光部１４ｃ−２を備えている。図７に示すように、受光部１６ｃ−１と発光部１４ｃ−１、発光部１６ｃ−２と受光部１４ｃ−２は、表示ユニット１６がカメラ本体１４に装着された場合に互いに対向するように配設される。
【００８７】
受光部１６ｃ−１、１４ｃ−２には、受光素子（例えば、フォトダイオード：ＰＤ）が複数配置され、発光部１６ｃ−２、１４ｃ−１には、上記受光素子に対応する位置に発光素子（例えば、発光ダイオード：ＬＥＤ）が複数配置される。カメラ本体１４から表示ユニット１６に信号を伝達する際には、まず、ＬＣＤ制御部２３２により表示用の信号形式に変換された画像信号（ＹＵＶ信号）が発光部１４ｃ−１に入力される。発光部１４ｃ−１は、本体ＣＰＵ２００から入力された画像信号に応じて発光素子を発光させる。受光部１６ｃ−１は、発光部１４ｃ−１からの光を受光して電気信号に変換し、モニタ３６を制御するための表示ユニット側基板１６Ｐに送信する。これにより、カメラ本体１４側から出力された画像がモニタ３６に表示される。
【００８８】
逆に、表示ユニット１６からカメラ本体１４に信号を伝達する際には、まず、表示ユニット側基板１６Ｐから発光部１６ｃ−２に信号が入力される。発光部１６ｃ−２は、この入力信号に応じて発光素子を発光させる。受光部１４ｃ−２は、発光部１６ｃ−２からの光を受光して電気信号に変換し、本体側基板１４Ｐ上の本体ＣＰＵ２００に送信する。これにより、表示ユニット側基板１６Ｐと本体側基板１４Ｐとが通信可能に接続される。
【００８９】
また、図７に示すように、表示ユニット１６には、ユニット側接合部１６ｄとして爪止め部材が形成されている。一方、カメラ本体１４の爪止め部材１６ｄに対応する位置には、本体側接合部１４ｄとして爪止め穴が形成されている。爪止め部材１６ｄは、２本のカギ状部材３１０から構成されており、このカギ状部材３１０の間には隙間が設けられている。一方、爪止め穴１４ｄは、入り口側の径が奥側の径よりも小さくなっている。図７に示すように、爪止め部材１６ｄが爪止め穴１４ｄに嵌め込まれると、爪止め部材１６ｄが爪止め穴１４ｄの入り口に引っかかる。これにより、カメラ本体１４と表示ユニット１６は、ユニット接続用接点１４ｃと表示ユニット側接点１６ｃとが互いに対向するようにカメラ本体１４に固定される。
【００９０】
本実施例によれば、光を用いた無線通信手段（光学的接点部）を用いることにより、電気的な接点を用いることなく、カメラ本体１４と表示ユニット１６を通信可能に接続することができる。
【００９１】
［接合部及び接点の第３の実施例］
次に、接合部（１４ｄ、１６ｄ）及び接点（１４ｃ、１６ｃ）の第３の実施例について説明する。図８は接合部（１４ｄ、１６ｄ）及び接点（１４ｃ、１６ｃ）の第３の実施例を示す斜視図であり、図９はその９−９断面図である。なお、図８では、表示ユニット１６は省略されている。
【００９２】
図８に示すように、カメラ本体１４側のユニット接続用接点１４ｃの周囲には、周状の凹部３２０が形成されている。周状凹部３２０の壁面には、パンキング３２２が周状に隙間なく取り付けられている。図９に示すように、表示ユニット側接点１６ｃの周囲には、周状の凸部３２４が形成されている。周状凸部３２４の幅は、周状凹部３２０の幅より狭くなっている。周状凸部３２４が周状凹部３２０に嵌め込まれると、パンキング３２２が周状凸部３２４に密着し、ユニット接続用接点１４ｃと表示ユニット側接点１６ｃが密閉される。
【００９３】
なお、図８及び図９では、電気的な接点（図４、図５参照）を用いているが、光通信用接点（図６、図７）を用いてもよい。
【００９４】
また、図９に示すように、カメラ本体１４の本体マウント１４Ａの周囲にも、周状凹部３２６が形成されており、その壁面にパンキング３２８が周状に隙間なく取り付けられている。一方、レンズマウント１２Ａの基端部には、周状凸部３３０が形成されており、周状凸部３３０が周状凹部３２６に嵌め込まれると、パンキング３２８が周状凸部３３０に密着し、レンズマウント接点１２ａと本体マウント接点１４ａが密閉される。
【００９５】
本実施例によれば、各接点（１２ａ、１４ａ、１４ｃ及び１６ｃ）が密閉されるので、接点の水濡れや、ゴミの付着を防止することができる。また、防水用のレンズユニット１２、カメラ本体１４及び表示ユニット１６を用いることにより、防水用のカメラシステムにおいても、本発明のカメラシステムを実現することができる。
【００９６】
［カメラシステムの第２の実施形態］
次に、本発明の第２の実施形態に係るカメラシステムについて説明する。図１０は本発明の第２の実施形態に係るカメラシステムの正面の外観を示す斜視図、図１１はその背面の外観を示す斜視図、図１２はその電気的構成を示すブロック図である。なお、以下の説明において、上記第１の実施形態と同様の構成については、同一の符号を付して説明を省略する。
【００９７】
図１０及び図１１に示すように、本実施形態のカメラシステム１０は、レンズユニット１２、カメラ本体１４、表示ユニット１６、電池ユニット３５０、操作ユニット３５２及びフラッシュユニット３５４を備える。
【００９８】
図１１に示すように、カメラ本体１４は、表示ユニット１６等の機能ユニットと通信可能に接続するためのユニット接続用接点１４ｃ、１４ｅ、１４ｆ及び１４ｇを４個備える。このユニット接続用接点１４ｃ、１４ｅ、１４ｆ及び１４ｇは、凹状に形成されており、その内側の面には電極が取り付けられている。図１１に示すように、この電極は、カメラ本体１４の各種回路が配置された本体側基板１４Ｐに接続されている。
【００９９】
電池ユニット３５０は、グリップ部１８、レリーズボタン２２、バッテリ２３６及び電池ユニット側接点３５０ｅを備える。なお、電池ユニット３５０は、グリップ部１８と一体でなくてもよい。図１１に示すように、電池ユニット側接点３５０ｅは、凸状に形成されており、この凸状部の表面には電極が取り付けられている。電池ユニット側接点３５０ｅがユニット接続用接点１４ｅと嵌め合わされると、電池ユニット３５０のレリーズボタン２２及びバッテリ２３６が本体側基板１４Ｐと電気的に接続される。また、電池ユニット３５０及びカメラ本体１４の当接する面には、それぞれ図示せぬメカ的接合部が設けられており（図５、図７参照）、このメカ的接合部により電池ユニット３５０とカメラ本体１４とが固定される。
【０１００】
操作ユニット３５２は、操作部２０２（モードダイヤル２６、ズームボタン２８、十字ボタン３０、ＭＥＮＵ／ＯＫボタン３２、キャンセルボタン３４等）及び操作ユニット側接点３５２ｆを備える。図１１に示すように、操作ユニット側接点３５２ｆは、凸状に形成されており、この凸状部の表面には電極が取り付けられている。操作ユニット側接点３５２ｆがユニット接続用接点１４ｆと嵌め合わされると、操作部２０２が本体側基板１４Ｐと電気的に接続され、操作部２０２からの入力を本体側基板１４Ｐの本体ＣＰＵ２００等に伝達可能になる。また、操作ユニット３５２及びカメラ本体１４の当接する面には、それぞれ図示せぬメカ的接合部が設けられており（図５、図７参照）、このメカ的接合部により操作ユニット３５２とカメラ本体１４とが固定される。
【０１０１】
フラッシュユニット３５４は、フラッシュ２０及びフラッシュユニット側接点３５４ｇを備える。図１１に示すように、フラッシュユニット側接点３５４ｇは、凸状に形成されており、この凸状部の表面には電極が取り付けられている。フラッシュユニット側接点３５４ｇがユニット接続用接点１４ｇと嵌め合わされると、フラッシュ２０が本体側基板１４Ｐのフラッシュ制御部２３４と電気的に接続され、フラッシュ制御部２３４によりフラッシュ２０が制御可能になる。また、フラッシュユニット３５４及びカメラ本体１４の当接する面には、それぞれ図示せぬメカ的接合部が設けられており（図５、図７参照）、このメカ的接合部によりフラッシュユニット３５４とカメラ本体１４とが固定される。
【０１０２】
なお、本実施形態では、カメラ本体１４に各ユニットを装着するための接点や接合部を設けて、各ユニットをカメラ本体１４に直接装着するようにしたが、一部のユニットを他のユニットに装着して、カメラ本体１４と通信可能に接続するようにしてもよい。例えば、電池ユニット３５０に操作ユニット３５２を装着するための接点や接合部を設けて、操作ユニット３５２が電池ユニット３５０を介してカメラ本体１４に通信可能に接続されるようにしてもよい。
【０１０３】
また、本実施形態では、カメラ本体１４と各ユニット１６、３５０、３５２及び３５４が電気的な接点により接続するようにしたが、光通信又は無線（アンテナ）により通信可能に接続するようにしてもよい。また、各接点部は、防水、防塵用に構成されていてもよい。
【０１０４】
［電池ユニット３５０の構成］
以下、各ユニットの構成について詳細に説明する。図１３から図１５は、電池ユニット３５０の実施例を示す斜視図である。図１３に示す電池ユニット３５０−１は、グリップ部１８−１が側面に設けられるとともに、レリーズボタン２２が上面に設けられており、静止画撮影に適した構成になっている。
【０１０５】
また、図１４に示す電池ユニット３５０−２は、Ｌ字状に形成されている。電池ユニット３５０−２のカメラ本体１４の底面側には、棒状のグリップ部１８−２が設けられており、動画撮影時にカメラシステム１０を長時間安定的に把持するのに適した構成になっている。
【０１０６】
また、図１５に示す電池ユニット３５０−３は、Ｌ字状に形成されており、その側面に静止画撮影用のグリップ部１８−１が設けられており、上面にレリーズボタン２２−１が設けられている。また、電池ユニット３５０−３のカメラ本体１４の底面側には、動画撮影用の棒状のグリップ部１８−２が設けられており、グリップ部１８−２にはレリーズボタン２２−２が設けられている。
【０１０７】
本実施形態のカメラシステム１０によれば、ユーザが使用するシーンに応じて、静止画撮影用、動画撮影用又は静止画・動画撮影兼用のグリップ部、レリーズボタンを有する電池ユニットに容易に交換可能になる。
【０１０８】
また、図１６（ａ）に示す電池ユニット３５０−４は、バッテリ２３６として２次電池２３６−４を備えている。この２次電池２３６−４は、ＵＳＢコネクタ２４６を介して商用電源や外部機器（例えば、クレードル、パーソナルコンピュータ（ＰＣ））等と接続することにより充電可能である。一方、図１６（ｂ）に示す電池ユニット３５０−５は、バッテリ２３６として乾電池２３６−５を備えている。この電池ユニット３５０−５の図中下面には、図示せぬバッテリカバーが設けられており、乾電池２３６−５を交換可能となっている。図１６に示すように、電池ユニット３５０を交換することにより、使用するバッテリ２３６の種類を変更することができる。
【０１０９】
図１７は、電池ユニットの別の実施例を示す図であり、図１８は、図１７の電池ユニットにレンズユニット１２及びカメラ本体１４を取り付けた状態を示す斜視図である。図１７（ａ）に示すように、電池ユニット３５０−６は、略Ｌ字状に形成されている。電池ユニット３５０−６のカメラ本体１４の側面と当接する面には、電池ユニット側接点３５０ｅが形成されている。また、電池ユニット３５０−６のカメラ本体１４の底面と当接する面には、カメラ本体１４を固定するための接合部（ネジ止め部）３５６が形成されている。
【０１１０】
また、電池ユニット３５０−６は、カメラ本体１４の前方に伸びるレンズ支持部材３５８が形成されている。図１７（ａ）に示すように、レンズ支持部材３５８の上面には、レンズユニット１２の形状に沿う凹形状のレンズ載置部３５８Ａが形成されている。また、図１７（ｂ）に示すように、電池ユニット３５０−６の裏面には、三脚を取り付けるための三脚穴３５０Ｂが形成されている。この三脚穴３５０Ｂは、レンズユニット１２及びカメラ本体１４が取り付けられたときの重心位置に形成される。三脚穴３５０Ｂは、図１７（ｂ）の縦方向（レンズユニット１２の向き）に複数形成されるようにしてもよい。これにより、電池ユニット３５０−６に取り付けられるレンズユニット１２、カメラ本体１４等の重量等に応じて、使用する三脚穴３５０Ｂを変更することにより、カメラシステム１０を三脚に安定的に取り付けることができる。
【０１１１】
なお、本実施形態では、電池ユニット３５０にグリップ部（１８等）を備えるようにしたが、電池ユニット３５０とは別にレリーズボタン（２２）、グリップ部を備えるユニットを設けてもよい。
【０１１２】
［表示ユニット１６及び操作ユニット３５２の構成］
次に、表示ユニット１６及び操作ユニット３５２の構成について説明する。図１９は、表示ユニット、操作ユニットがカメラ本体１４に取り付けられた状態を示す斜視図である。図１９（ａ）に示すように、カメラシステム１０の背面には、表示ユニット１６及び操作ユニット３５２が着脱可能に装着されている。一方、図１９（ｂ）に示すカメラシステム１０の背面には、上記表示ユニット１６及び操作ユニット３５２に代えて、表示・操作ユニット３５２−１が装着されている。表示・操作ユニット３５２−１、タッチモニタ３６０を備えている。タッチモニタ３６０は、モニタ（ＬＣＤモニタ）の表面にタッチパネルが配設されて構成されている。タッチモニタ３６０は、画像を表示するとともに、各種設定操作を行うための操作部材を表示し、タッチパネルからの操作入力を受け付ける。
【０１１３】
また、図２０に示すように、ズームボタン２８、十字ボタン３０、ＭＥＮＵ／ＯＫボタン３２、キャンセルボタン３４等に代えて、テンキー３６２を備えた操作ユニット３５２−２に変更可能である。
【０１１４】
上記のように、本実施形態によれば、モニタ３６の種類や、サイズ、各種設定操作を行うためのユーザインターフェイスを、ユーザの好みに応じて変更することができる。
【０１１５】
［フラッシュユニット３５４の構成］
次に、フラッシュユニット３５４の構成について説明する。図２１は、フラッシュユニット３５４を示す斜視図である。図２１に示すように、本実施形態のカメラシステム１０では、小型のフラッシュ２０を備えるフラッシュユニット３５４をグリップ・オン・フラッシュ２０´を備えたフラッシュユニット３５４´と交換可能である。
【０１１６】
なお、本実施形態では、例えば、カメラシステム１０の左手側にグリップ部１８を有するフラッシュユニット３５４を取り付けるとともに、図１７（ａ）に示した操作ユニット３５２を表示ユニット１６の左側に装着することにより、左利きのユーザ用のユニットの配置を実現することができる。
【０１１７】
［機能ユニットの他の実施例］
次に、機能ユニットの他の実施例について説明する。図２２はメモリカード２２０Ａを装着するためのスロット部を示す斜視図であり、図２３はその電気的構成を示すブロック図である。図２２に示すように、スロット部３７０は、開閉自在なスロットカバー３７２を備えており、このスロットカバー３７２の内側には、ｘＤピクチャカード３７４Ａ用のｘＤカードスロット３７４、コンパクトフラッシュ（ＣＦ）３７６Ａ用のＣＦスロット３７６、ＳＤカード３７８Ａ用のＳＤカードスロット３７８（いずれも登録商標）及びスロット部側接点３７０ａを備えている。なお、上記以外のメモリカードや光ディスク、磁気ディスク等の着脱可能なメディアに対応したスロットを備える構成とすることも可能である。スロット部側接点３７０ａの構成は、上記した表示ユニット側接点１６ｃ等と同様であり、スロット部側接点３７０ａをユニット接続用接点１６ｃ等に接続することにより、スロット部３７０がカメラ本体１４と通信可能に接続される。
【０１１８】
本実施例によれば、カメラシステム１０において、複数の着脱可能な記録メディアとの間でデータの読み書きが可能になる。
【０１１９】
図２４はＵＳＢコネクタを含むコネクタユニットの外観を示す斜視図であり、図２５はその断面図、図２６はその電気的構成を示すブロック図である。図２４に示すように、コネクタユニット３８０は、パーソナルコンピュータ（ＰＣ）等の外部機器と接続するためのＵＳＢコネクタ３８２及びコード３８４を備えている。図２５に示すように、コード３８４は、図示せぬ巻き取り機構により、コネクタユニット３８０内に巻き取られる。また、コネクタユニット３８０は、ユニット側接点３８０ａを備えており、ユニット側接点３８０ａをユニット接続用接点１６ｃ等に接続することにより、カメラ本体１４と通信可能に接続される。
【０１２０】
なお、コネクタユニット３８０は、ＵＳＢのほか、ＩＥＥＥ１３９４やイーサネット端子、ＡＶ端子等の他のコネクタを備えるようにしてもよい。
【０１２１】
また、機能ユニットの他の実施例としては、例えば、カメラ本体１４のマイク２４２や、レンズユニット１２のメモリカードスロット１２４、バッテリ１３８を機能ユニットとして分離できるようにしてもよい。
【図面の簡単な説明】
【０１２２】
【図１】本発明の第１の実施形態に係るカメラシステムの正面の外観を示す斜視図
【図２】本発明の第１の実施形態に係るカメラシステムの背面の外観を示す斜視図
【図３】カメラシステム１０の電気的構成を示すブロック図
【図４】接合部（１４ｄ、１６ｄ）及び接点（１４ｃ、１６ｃ）の構成を示す斜視図
【図５】図４の５−５断面図
【図６】接合部（１４ｄ、１６ｄ）及び接点（１４ｃ、１６ｃ）の第２の実施例を示す斜視図
【図７】図６の７−７断面図
【図８】接合部（１４ｄ、１６ｄ）及び接点（１４ｃ、１６ｃ）の第３の実施例を示す斜視図
【図９】図８の９−９断面図
【図１０】本発明の第２の実施形態に係るカメラシステムの正面の外観を示す斜視図
【図１１】本発明の第２の実施形態に係るカメラシステムの背面の外観を示す斜視図
【図１２】本発明の第２の実施形態に係るカメラシステムの電気的構成を示すブロック図
【図１３】電池ユニット３５０の実施例を示す斜視図
【図１４】電池ユニット３５０の実施例を示す斜視図
【図１５】電池ユニット３５０の実施例を示す斜視図
【図１６】電池ユニット３５０の実施例を示す斜視図
【図１７】電池ユニットの別の実施例を示す図
【図１８】図１７の電池ユニットにレンズユニット１２及びカメラ本体１４を取り付けた状態を示す斜視図
【図１９】表示ユニット、操作ユニットがカメラ本体１４に取り付けられた状態を示す斜視図
【図２０】操作ユニットの別の実施例を示す斜視図
【図２１】フラッシュユニット３５４を示す斜視図
【図２２】メモリカード２２０Ａを装着するためのスロット部を示す斜視図
【図２３】スロット部の電気的構成を示すブロック図
【図２４】ＵＳＢコネクタを含むコネクタユニットを示す斜視図
【図２５】ＵＳＢコネクタを含むコネクタユニットを示す断面図
【図２６】ＵＳＢコネクタを含むコネクタユニットの電気的構成を示すブロック図
【符号の説明】
【０１２３】
１０…カメラシステム、１２…レンズユニット、１４…カメラ本体、１６…表示ユニット、３５０…電池ユニット、３５２…操作ユニット、３５４…フラッシュユニット、３７０…スロット部、３８０…コネクタユニット
【図１】
2007310005.tif 000003
【図２】
2007310005.tif 000004
【図３】
2007310005.tif 000005
【図４】
2007310005.tif 000006
【図５】
2007310005.tif 000007
【図６】
2007310005.tif 000008
【図７】
2007310005.tif 000009
【図８】
2007310005.tif 000010
【図９】
2007310005.tif 000011
【図１０】
2007310005.tif 000012
【図１１】
2007310005.tif 000013
【図１２】
2007310005.tif 000014
【図１３】
2007310005.tif 000015
【図１４】
2007310005.tif 000016
【図１５】
2007310005.tif 000017
【図１６】
2007310005.tif 000018
【図１７】
2007310005.tif 000019
【図１８】
2007310005.tif 000020
【図１９】
2007310005.tif 000021
【図２０】
2007310005.tif 000022
【図２１】
2007310005.tif 000023
【図２２】
2007310005.tif 000024
【図２３】
2007310005.tif 000025
【図２４】
2007310005.tif 000026
【図２５】
2007310005.tif 000027
【図２６】
2007310005.tif 000028